(57)【要約】電子装置のためのＲＦテストインタフェースは、ＲＦコンタクトを備える回路基板を含み、それを通して延びる開口部を含む。アンテナは、アンテナがＲＦコンタクトを係合し易くする弾性部材（ｒｅｓｉｌｉｅｎｔ  ｍｅｍｂｅｒ）を含む。テストコネクタは導電性のコンタクトを含み、アンテナをＲＦコンタクトから外して、導電性のコンタクトがＲＦコンタクトを係合することが出来るようにするために、弾性部材を係合するように構成されている。
2008525985.tif 000002
【特許請求の範囲】
【請求項１】
電子装置のためのＲＦテストインタフェースであって、
ＲＦコンタクトと、それを通して延在する開口部と、を有する回路基板と、
前記ＲＦコンタクトを係合するように構成されたアンテナと、
前記ＲＦコンタクトを係合するように構成された導電性のコンタクトと、前記回路基板の前記開口部を通して受け取られ、前記ＲＦコンタクトから前記アンテナを外すように構成された非導電性のポストと、を備えるテストコネクタと、
を備えることを特徴とするＲＦテストインタフェース。
【請求項２】
前記ＲＦコンタクトは、前記回路基板を通して延在し、
前記導電性のコンタクトは、前記回路基板の第１の側面上で前記ＲＦコンタクトを係合するように構成され、
前記アンテナは、前記回路基板の第２の側面上で前記ＲＦコンタクトを係合するように構成されていることを特徴とする請求項１に記載のＲＦテストインタフェース。
【請求項３】
前記アンテナは、リーフスプリングを含むアンテナコンタクトを備えることを特徴とする請求項１に記載のＲＦテストインタフェース。
【請求項４】
前記テストコネクタは、スプリング入りのテストコネクタであることを特徴とする請求項１に記載のＲＦテストインタフェース。
【請求項５】
前記回路基板は、接地コンタクトを更に含み、
前記導電性のコンタクトは、第１の導電性のコンタクトであり、
前記テストコネクタは、前記接地コンタクトを係合するように構成された第２の導電性のコンタクトを更に含むことを特徴とする請求項１に記載のＲＦテストインタフェース。
【請求項６】
前記回路基板は、マッチングコンポーネントコンタクトを更に備え、
前記アンテナは、前記ＲＦコンタクトを係合するように構成された第１の部分と、前記マッチングコンポーネントコンタクトを係合するように構成された第２の部分と、を含み、
前記非導電性のポストは、前記ＲＦコンタクトから前記第１のアンテナ部分を外すために前記回路基板の前記開口部を通して受け取られるように構成されていることを特徴とする請求項１に記載のＲＦテストインタフェース。
【請求項７】
前記回路基板は、接地コンタクトを更に備え、
前記アンテナは、前記ＲＦコンタクトを係合するように構成された第１の部分と、前記接地コンタクトを係合するように構成された第２の部分と、を含み、
前記非導電性のポストは、前記ＲＦコンタクトから第１のアンテナ部分を外すために前記回路基板の前記開口部を通して受け取られるように構成されていることを特徴とする請求項１に記載のＲＦテストインタフェース。
【請求項８】
前記アンテナは、平板逆Ｆ型アンテナであることを特徴とする請求項７に記載のＲＦテストインタフェース。
【請求項９】
前記テストコネクタは、５０オームのテストコネクタであることを特徴とする請求項１に記載のＲＦテストインタフェース。
【請求項１０】
前記電子装置は、携帯端末であることを特徴とする請求項１に記載のＲＦテストインタフェース。
【請求項１１】
電子装置のためのＲＦテストインタフェースであって、
ＲＦコンタクトを含む回路基板と、
弾性部材を含むアンテナであって、前記弾性部材によって前記アンテナが前記ＲＦコンタクトを係合するようにされたアンテナと、
導電性のコンタクトを有し、前記ＲＦコンタクトから前記アンテナを外して前記導電性のコンタクトが前記ＲＦコンタクトと係合することができるように前記弾性部材を係合するように構成されたテストコネクタと、
を備えることを特徴とするＲＦテストインタフェース。
【請求項１２】
前記弾性部材は、先細りした部分を含み、
前記テストコネクタは、前記弾性部材の前記先細りした部分を係合するように構成されていることを特徴とする請求項１１に記載のＲＦテストインタフェース。
【請求項１３】
前記ＲＦコンタクトと位置合わせされて前記導電性のコンタクトが配置されるように、それを通して前記テストコネクタを受けるように構成された配置構造を更に備えることを特徴とする請求項１１に記載のＲＦテストインタフェース。
【請求項１４】
前記配置構造は、前記電子装置の筺体内に開口部を有することを特徴とする請求項１３に記載のＲＦテストインタフェース。
【請求項１５】
前記回路基板は、接地コンタクトを更に備え、
前記導電性のコンタクトは、第１の導電性のコンタクトであり、
前記テストコネクタは、前記接地コンタクトを係合するように構成された第２の導電性のコンタクトを更に備えることを特徴とする請求項１１に記載のＲＦテストインタフェース。
【請求項１６】
前記回路基板は、マッチングコンポーネントコンタクトを更に備え、
前記アンテナは、前記ＲＦコンタクトを係合するように構成された第１の部分と、前記マッチングコンポーネントコンタクトを係合するように構成された第２の部分と、を含むテストコネクタを備え、
前記テストコネクタは、前記ＲＦコンタクトから前記第１のアンテナ部分を外すために前記弾性部材を係合するように構成されていることを特徴とする請求項１１に記載のＲＦテストインタフェース。
【請求項１７】
前記回路基板は、接地コンタクトを更に備え、
前記アンテナは、前記ＲＦコンタクトを係合するように構成された第１の部分と、前記接地コンタクトを係合するように構成された第２の部分と、を含み、
前記テストコネクタは、前記ＲＦコンタクトから前記第１のアンテナ部分を外すために前記弾性部材を係合するように構成されていることを特徴とする請求項１１に記載のＲＦテストインタフェース。
【請求項１８】
前記アンテナは、平板逆Ｆ型アンテナであることを特徴とする請求項１７に記載のＲＦテストインタフェース。
【請求項１９】
前記テストコネクタは、５０オームのテストコネクタであることを特徴とする請求項１１に記載のＲＦテストインタフェース。
【請求項２０】
前記電子装置は、携帯端末であることを特徴とする請求項１１に記載のＲＦテストインタフェース。
【請求項２１】
電子装置のためのＲＦテストインタフェースであって、
ＲＦコンタクトと、それを通して延在する開口部と、を有する回路基板と、
前記ＲＦコンタクトを係合するように構成されたアンテナと、
前記ＲＦコンタクトを係合するように構成された非導電性のコンタクトと、前記回路基板の前記開口部を通して受け取られて、前記ＲＦコンタクトから前記アンテナを外すように構成された導電性のポストと、を備えるテストコネクタと、
を備えることを特徴とするＲＦテストインタフェース。
【発明の詳細な説明】
【技術分野】
【０００１】
本発明は、携帯端末などの電子装置、特に、携帯端末などの電子装置のためのＲＦテストインターフェースに関する。
【背景技術】
【０００２】
外部のアンテナコネクタは、技術者がアンテナを取り外さないで装置のＲＦ性能をテストできるようにするために、携帯端末などのような電子装置のテストを容易にしうる。例えば、図１Ａは、装置のＲＦ性能をテストするために電子装置の上に含まれうる従来の外部のアンテナコネクタ１００を示す図である。コネクタ１００は、例えば、ＲＦテストプローブを受けるインタフェース１１０と、ＲＦコンタクト１２０と、ＲＦと接地コンタクトとを接続する接地コンタクト１３０と、をそれぞれプリント基板上に含む。図１Ｂは、ＲＦコンタクト１２０及び接地コンタクト１３０を別の視野から見たものである。  残念なことに、コネクタ１００は、１ユニットあたり約０．１５ドルかかる場合があり、ＲＦ通信技術を用いる携帯電話や他の携帯端末などの何百万台もの電子装置のために生産されると、かなりのコストがかかりうる。
【発明の開示】
【０００３】
発明の概要
本発明のいくつかの実施形態では、電子装置のためのＲＦテストインタフェースは、ＲＦコンタクトと、それを通して延在する開口部と、を有する回路基板を含む。アンテナが前記ＲＦコンタクトを係合するように構成されている。テストコネクタは、前記ＲＦコンタクトを係合するように構成された導電性のコンタクトと、前記回路基板の前記開口部を通して受け取られ、前記ＲＦコンタクトから前記アンテナを外すように構成された非導電性のポストと、を備える。
【０００４】
本発明の他の実施形態では、前記ＲＦコンタクトは、前記回路基板を通して延在し、前記導電性のコンタクトは、前記回路基板の第１の側面上で前記ＲＦコンタクトを係合するように構成され、前記アンテナは、前記回路基板の第２の側面上で前記ＲＦコンタクトを係合するように構成されている。
【０００５】
本発明の他の実施形態では、前記アンテナは、リーフスプリングアンテナである。
【０００６】
本発明の他の実施形態では、前記テストコネクタは、スプリング入りのテストコネクタである。
【０００７】
本発明の他の実施形態では、前記回路基板は、接地コンタクトを更に含み、前記導電性のコンタクトは、第１の導電性のコンタクトであり、前記テストコネクタは、前記接地コンタクトを係合するように構成された第２の導電性のコンタクトを更に含む。
【０００８】
本発明の他の実施形態では、前記回路基板は、マッチングコンポーネントコンタクトを更に含む。前記アンテナは、前記ＲＦコンタクトを係合するように構成された第１の部分と、前記マッチングコンポーネントコンタクトを係合するように構成された第２の部分と、を含む。前記非導電性のポストは、前記ＲＦコンタクトから前記第１のアンテナ部分を外すために前記回路基板の前記開口部を通して受け取られるように構成されている。
【０００９】
本発明の他の実施形態では、前記回路基板は、接地コンタクトを更に含む。前記アンテナは、前記ＲＦコンタクトを係合するように構成された第１の部分と、前記接地コンタクトを係合するように構成された第２の部分と、を含む。前記非導電性のポストは、前記ＲＦコンタクトから第１のアンテナ部分を外すために前記回路基板の前記開口部を通して受け取られるように構成されている。
【００１０】
本発明の他の実施形態では、前記アンテナは、平板逆Ｆ型アンテナである。
【００１１】
本発明の他の実施形態では、前記テストコネクタは、５０オームのテストコネクタである。
【００１２】
本発明の他の実施形態では、前記電子装置は、携帯端末である。
【００１３】
本発明の更なる実施形態では、電子装置のためのＲＦテストインタフェースは、ＲＦコンタクトを含む回路基板を有する。アンテナは、弾性部材を含むアンテナであって、前記弾性部材によって前記アンテナが前記ＲＦコンタクトを係合するようにされている。テストコネクタは、導電性のコンタクトを有し、前記ＲＦコンタクトから前記アンテナを外して前記導電性のコンタクトが前記ＲＦコンタクトと係合することができるように前記弾性部材係合するように構成されている。
【００１４】
本発明のなお更なる実施形態では、前記弾性部材は、先細りした部分を含み、前記テストコネクタは、前記弾性部材の前記先細りした部分を係合するように構成されている。
【００１５】
本発明のなお更なる実施形態では、前記ＲＦコンタクトと位置合わせされて前記導電性のコンタクトが配置されるように、それを通して前記テストコネクタを受けるように構成された配置構造を更に備える。
【００１６】
本発明のなお更なる実施形態では、前記配置構造は、前記電子装置の筺体内に開口部を有する。
【００１７】
本発明のなお更なる実施形態では、前記回路基板は、接地コンタクトを更に備え、前記導電性のコンタクトは、第１の導電性のコンタクトであり、前記テストコネクタは、前記接地コンタクトを係合するように構成された第２の導電性のコンタクトを更に備える。
【００１８】
本発明のなお更なる実施形態では、前記回路基板は、マッチングコンポーネントコンタクトを更に備える。前記アンテナは、前記ＲＦコンタクトを係合するように構成された第１の部分と、前記マッチングコンポーネントコンタクトを係合するように構成された第２の部分と、を含む。テストコネクタは、前記ＲＦコンタクトから前記第１のアンテナ部分を外すために前記弾性部材を係合するように構成されている。
【００１９】
本発明のなお更なる実施形態では、前記回路基板は、接地コンタクトを更に備える。前記アンテナは、前記ＲＦコンタクトを係合するように構成された第１の部分と、前記接地コンタクトを係合するように構成された第２の部分と、を含む。前記テストコネクタは、前記ＲＦコンタクトから前記第１のアンテナ部分を外すために前記弾性部材を係合するように構成されている。
【００２０】
本発明の他の実施形態では、電子装置のためのＲＦテストインタフェースは、ＲＦコンタクトと、それを通して延在する開口部と、を有する回路基板を含む。アンテナは、前記ＲＦコンタクトを係合するように構成されている。テストコネクタは、前記ＲＦコンタクトを係合するように構成された非導電性のコンタクトと、前記回路基板の前記開口部を通して受け取られ、前記ＲＦコンタクトから前記アンテナを外すように構成された導電性のポストと、を備える。
【発明を実施するための最良の形態】
【００２１】
例示的な実施の形態の詳細な説明
本発明の特定の例示的な実施の形態が、これから添付の図面を参照して説明される。しかしながら、本発明は多くの異なる形で具現化され、ここで詳細に説明される実施形態に限定されるように解釈されるべきでない。むしろ、これらの実施形態は、この開示賀詳細かつ十分になるよう提供されるものであり、本発明の範囲を十分に当業者に伝えることができるであろう。添付の図面に示されている特定の実施形態の詳細な説明に用いられる用語は、本発明を制限するものではない。図面では、同様の数は、同様の構成要素を示している。
【００２２】
ここで使用されるように、単数形を示す「ａ」（一つの）、「ａｎ」（一つの）及び「ｔｈｅ」（その）は、特段の記載がない限り、複数形をも含むものとする。さらに、「ｉｎｃｌｕｄｅｓ」（含む）、「ｃｏｍｐｒｉｓｅｓ」（備える）、「ｉｎｃｌｕｄｉｎｇ」（含む）及び／又は「ｃｏｍｐｒｉｓｉｎｇ」（備える）という用語は、本明細書で使用される場合には、言及された特徴、整数、工程、動作、要素及び／又は構成要素の存在を特定するものであり、１つ又は複数の他の特徴、整数、工程、動作、要素及び／又は構成要素の存在又は追加を排除するものではないものと解される。要素が別の要素に「ｃｏｎｎｅｃｔｅｄ」（接続される）又は「ｃｏｕｐｌｅｄ」（結合される）と言う場合には、直接田の要素に接続又は結合されるか又は介在要素が存在しうると解される。更に、ここで使用される「ｃｏｎｎｅｃｔｅｄ」（接続される）又は「ｃｏｕｐｌｅｄ」（結合される）は、ワイヤレスで接続又は結合される場合も含みうる。ここで使用されるように、「ａｎｄ/ｏｒ」（及び／又は）という用語は、関連して記載されている１つ又は複数の項目の任意のあらゆる組み合わせを含む。
【００２３】
特段の定義がなければ、ここで使用されるあらゆる用語（技術的かつ科学的な用語を含む）は、本発明が属する技術の分野における通常の知識を有する者によって一般的に理解されるものと同じ意味をもつ。一般的に使用される辞書に定義されたようば用語は、関連する技術の文脈における意味と一致した意味を持つものと解釈されるべきであり、ここで特段の記載がない限り、理想化された又は過度に形式的な意味で解釈されない。
【００２４】
ここで使用されるように、「携帯端末」という用語は、多重表示（ｍｕｌｔｉ-ｌｉｎｅ  ｄｉｓｐｌａｙ）を有する若しくは有しない衛星又はセルラー方式無線電話と、セルラー方式無線電話をデータ処理、ファクシミリ及びデータ通信機能に組み合わせうるパーソナルコミュニケーションシステム（ＰＣＳ）端末と、無線電話、ポケットベル、インターネット／イントラネットアクセス、ウェブブラウザ、オーガナイザー、カレンダー及び／又はグローバル・ポジショニング・システム（ＧＰＳ）受信器を含みうるＰＤＡと、従来のラップトップ及び／又はパームトップ受信器又は無線電話トランシーバーを含む他の機器と、を含みうる。また、携帯端末は「汎用コンピューティング」装置と呼ばれうる。
【００２５】
本発明のいくつかの実施形態は、ＲＦ技術を取り入れた携帯端末などの電子装置のコストが、内蔵のＲＦテストインタフェースを提供することによって低減され、その結果、付加的なＲＦテストコネクタが不要となる、という理解によるものである。
【００２６】
図２Ａを参照すると、本発明のいくつかの実施形態よれば、携帯端末などの電子装置のための例示的なＲＦテストインタフェースは、ＲＦコンタクト２０５、接地コンタクト２１０及びこれを通る開口部２１５を有する回路基板２００を備える。テストインタフェースはまた、導電性のコンタクト２３５、非導電性のポスト２４０及び付加的な導電性のコンタクト２４５を備えるテストコネクタ２３０を含む。本発明のいくつかの実施形態によれば、テストコネクタ２３０は、５０オームのテストコネクタであってもよい。リーフスプリングアンテナなどのアンテナ２６０は、ＲＦコンタクト２０５を係合するように構成されてもよい。
【００２７】
図２Ａに示すように、テストコネクタ２３０は、例えば、回路基板２００を係合するように電子装置の筺体を通して挿入され、回路基板２００上に別個のコネクタを必要とすることなくＲＦテストを実行する。また、図２Ａに示されるテストインタフェースの実施形態では、製造中及び／又は診断サービス中にＲＦ性能試験を実行するときに、テストコネクタ２３０がアンテナ２６０を外せるようになされてもよい。特に、テストコネクタ２３０の非導電性のポスト２４０は、ＲＦコンタクト２０５からアンテナ２６０を外すために開口部２１５を通して受け取られうる。これによって、電子装置上でＲＦテストを実行するために、テストコネクタ２３０上に導電性のコンタクト２３５がＲＦコンタクト２０５と係合し、テストコネクタ２３０上に導電性のコンタクト２４５がＲＦコンタクト２０５と係合しうる。導電性のコンタクト２３５は、導電性のコンタクト２３５とＲＦコンタクト２０５との間の機械的・電気的な接続を強めるためにスプリング入り（ｓｐｒｉｎｇ-ｌｏａｄｅｄ）であってもよい。ＲＦ性能試験を容易にするために、回路基板２００は、アンテナ２６０の反対側の回路基板２００の側面を電子装置の筺体に露出するように構成されてもよい。例えば、本発明のいくつかの実施形態では、電子装置のバッテリーカバーを取り外すことによって、筺体の反対側の回路基板２００の側面にされうる。他の実施形態では、電子装置の外部の筺体は開口部で構成され、それを通して導電性のコンタクト２３５、非導電性のポスト２４０及び付加的な導電性のコンタクト２４５を受けうる。
【００２８】
本発明のいくつかの実施形態によれば、アンテナは、ＲＦコンタクト２０５に係合されたり外されたりするように構成された第１の部分２６０と、回路基板２００上のマッチングコンポーネントコンタクト２７５に係合されたり外されたりするように構成された第２の部分２７０と、を含みうる。回路基板２００は、その上にインピーダンスマッチングコンポーネントを含み、改良された性能のためにアンテナを調整するために使用されうる。これらのコンポーネントは、製造テスト又は診断テストにおけるＲＦテストの間には、通常は外される。従って、テストコネクタ２３０の非導電性のポスト２４０は、開口部２１５を通して受け取られると、マッチングコンポーネントコンタクト２７５からアンテナの第２の部分２７０を外してもよい。しかしながら、本発明の他の実施形態では、第２の部分２７０は、非導電性のポスト２４０の挿入に際して、マッチングコンポーネントコンタクト２７５に係合されたままでもよい。
【００２９】
本発明の更なる実施形態によれば、アンテナは、上述の第２の部分２７０に代えて又は加えて、回路基板２００の接地コンタクト２１０と係合するため又は寄生放射要素（ｐａｒａｓｉｔｉｃ  ｒａｄｉａｔｉｎｇ  ｅｌｅｍｅｎ）を接地するように構成された第３の部分２８０を備えてもよい。これは、多くのタイプの携帯端末で使用される共通のアンテナ構成である平板逆Ｆ型アンテナであるときに、役に立つかもしれない。アンテナ部分２８０と接地コンタクト２１０とのこの接続は、ＲＦテストの間に外される必要はない。従って、アンテナ部分２８０は、テストコネクタ２３０の非導電性のポスト２４０が開口部２１５を通して受け取られるとき、接地コンタクト２１０と係合されたままであるように構成されている。
【００３０】
本発明の更なる実施形態に従って、電子装置のための例示的なＲＦテストインタフェースが、図２Ｂ〜図２Ｄを参照して以下説明される。図２Ｂに示すように、筺体は、例えば、開口部２１５'とＲＦコンタクト２０５とを含む。開口部２１５'は、ＲＦコンタクト２０５'からアンテナ又はアンテナコネクタ２６０'の第１の部分をそれを通して外すために、非導電性のポスト２４０'を受けるように構成され、図２Ｃに示されるように電子装置上でＲＦテストを実行するために、導電性のコンタクト２３５'がＲＦコンタクト２０５'に係合されうる。アンテナ又はアンテナコネクタ２７０の第２の部分は、マッチングコンポーネントコンタクトを係合することに使用されうる。これは図２Ｄにされている。図２Ｄでは、第１のアンテナ部分又はアンテナコンタクト部分２６０'が、マッチングコンポーネントコンタクト２７５'に係合される第２のアンテナ部分又はアンテナコンタクト部分２７０'と共に示されている。本発明の様々な実施形態によれば、第２のアンテナ又はアンテナ接触部分２７０'は、非導電性ポスト２４０'の挿入のときにマッチングコンポーネントコンタクト２７５'に係合されるか、又は、非導電性ポスト２４０'の挿入のときにマッチングコンポーネントコンタクト２７５'から外される。図２Ａを再び参照すると、本発明の他の実施形態によれば、非導電性のポスト２４０と導電性のコンタクト２３５の機能は、逆であってもよい。すなわち、ポスト２４０は導電性であり、コンタクト２３５は非導電性であり、例えば携帯端末などの電子装置よりむしろアンテナのテストができるようにされてもよい。また、他の実施形態では、ポスト２４０とコンタクト２３５の両方が、アンテナと電子装置のテストを同時に行うことができるようにされてもよい。そのようなプローブは、ポスト２４０とコンタクト２３５に関連する２つの信号線の間に、限られた相互結合があることを保証する付加的な回路を備えてもよい。
【００３１】
本発明の一層の実施形態に従って、図３Ａを参照すると、携帯端末などの電子装置のための例示的なＲＦテストインタフェースは、ＲＦコンタクト３０５と接地コンタクト３１０を含む回路基板３００を備える。アンテナ３１５は、図３Ａに示すようにアンテナ３１５がＲＦコンタクト３０５を係合するようにする弾性部材３２０を備える。電子装置は、その筺体３３０に開口部を含み、それを通してテストコネクタが受け取られうる。
【００３２】
図３Ｂを参照すると、回路基板３００のＲＦコンタクト３０５を係合するように構成されうる導電性のコンタクト３５５と、回路基板の接地コンタクト３１０を係合するように構成されうるコンタクト３６０とを備えるテストコネクタ３５０が図示されている。本発明のいくつかの実施形態によれば、テストコネクタ３５０は、５０オームのテストコネクタであってもよい。特に、テストコネクタ３５０は、ＲＦコンタクト３０５からアンテナ３１５又は同様のコンポーネントを外すように、弾性部材３２０を係合してもよい。いくつかの実施形態では、アンテナコネクタとアンテナが別々のコンポーネントであってもよいことに注意されたい。図３Ｂに示される本発明のいくつかの実施形態では、弾性部材３２０が先細りしているため、テストコネクタ３５０が弾性部材３２０を係合するときに、アンテナ３１５がＲＦコンタクト３０５の左側に外される。これは、図３Ｃに更に示され、弾性部材３２０を介してアンテナ３１５を左側に押すことによって、テストコネクタ３５０はアンテナ３１５を完全に外すことになる。導電性のコンタクト３５５は、ＲＦコンタクト３０５を係合し、コンタクト３６０は接地コンタクト３１０を係合する。筺体３３０又は他の配置構造における開口部は、それぞれコンタクト３０５とコンタクト３１０にコンタクト３５５とコンタクト３６０を合わせるために使用されうる。テストコネクタ３５０が一旦取り外されると、弾性部材３２０は、アンテナ３１５がＲＦコンタクト３０５と元のように係合するように構成される。図２Ａ〜図２Ｄに関連して上述した実施形態のように、有利なことは、図３Ａ〜図３ＣのＲＦテストインタフェース実施形態は、電子装置のＲＦ性能が別々のＲＦコネクタの必要なしにテストされうることである。
【００３３】
更に、本発明の他の実施形態に従って、図２Ａ〜図２Ｄに関連して述べたように、アンテナ３１５は、ＲＦコンタクト３０５と係合したり外されたりするように構成される第１の部分と、回路基板３００上でマッチングコンポーネントコンタクトと係合したり外されたりするように構成される第２の部分と、を含んでもよい。回路基板３００は、その上にインピーダンスマッチングコンポーネントを含み、改良された性能のためのアンテナを調整するために使用されうる。これらのコンポーネントは、製造テスト又は診断テストにおいてＲＦテストの間に、通常は外される。従って、テストコネクタ３５０が弾性部材３２０を係合するときに、弾性部材３２０は、マッチングコンポーネントコンタクトからアンテナ３１５の第２の部分を外してもよい。
【００３４】
本発明の更なる実施形態によれば、アンテナ３１５は、上述した第２の部分に代えて又は加えて、回路基板３００の接地コンタクト３１０と係合するため又は寄生放射要素（ｐａｒａｓｉｔｉｃ  ｒａｄｉａｔｉｎｇ  ｅｌｅｍｅｎ）を接地するように構成された第３の部分を備えてもよい。これは、アンテナ３１５が平板逆Ｆ型アンテナであるときに、役に立つかもしれない。第３のアンテナ部分と接地コンタクト３１０とのこの接続は、ＲＦテストの間に外される必要はない。従って、第３のアンテナ部分は、テストコネクタ３５０が弾性部材３２０と係合するとき、接地コンタクト３１０と係合されたままであるように構成されている。
【００３５】
図面及び明細書では、本発明の例示的な実施形態が開示されている。特定の用語が使用されているが、それらは限定を目的としたものではなく、添付の特許請求の範囲で定められる本発明の範囲内で、一般的な説明を意図して使用されている。
【図面の簡単な説明】
【００３６】
【図１Ａ】従来の外部アンテナコネクタを示す図である。
【図１Ｂ】従来の外部アンテナコネクタを示す図である。
【図２Ａ】本発明のいくつか実施形態に係るＲＦテストインタフェースを示す図である。
【図２Ｂ】本発明のいくつか実施形態に係るＲＦテストインタフェースを示す図である。
【図２Ｃ】本発明のいくつか実施形態に係るＲＦテストインタフェースを示す図である。
【図２Ｄ】本発明のいくつか実施形態に係るＲＦテストインタフェースを示す図である。
【図３Ａ】本発明の更なる実施形態に係るＲＦテストインタフェースを示す図である。
【図３Ｂ】本発明の更なる実施形態に係るＲＦテストインタフェースを示す図である。
【図３Ｃ】本発明の更なる実施形態に係るＲＦテストインタフェースを示す図である。
【図１Ａ】
2008525985.tif 000003
【図１Ｂ】
2008525985.tif 000004
【図２Ａ】
2008525985.tif 000005
【図２Ｂ】
2008525985.tif 000006
【図２Ｃ】
2008525985.tif 000007
【図２Ｄ】
2008525985.tif 000008
【図３Ａ】
2008525985.tif 000009
【図３Ｂ】
2008525985.tif 000010
【図３Ｃ】
2008525985.tif 000011
【国際調査報告】
2008525985.tif 000012
2008525985.tif 000013